【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
レンズを通った光を光電変換する光電変換手段と、
評価値の算出に用いる測光範囲を決定する測光範囲決定手段と、
前記光電変換手段により光電変換して得られた画像データにおける、前記測光範囲決定手段により決定された測光範囲の測光値に基づいて前記評価値を算出する算出手段と、
前記算出手段により算出された評価値を目標値に近づけるように露出を制御する露出制御手段と、
前記レンズの光学状態に関する情報を取得する取得手段と、を備え、
前記取得手段により取得された光学状態に関する情報に基づいて、前記レンズによる光量落ちの影響が小さくなるように、前記測光範囲決定手段と前記算出手段と前記露出制御手段の少なくとも１つを制御することを特徴とする撮像装置。
【請求項２】
前記測光範囲決定手段は、前記光学状態に関する情報に基づいて、撮像領域における前記レンズによる光量落ちの割合が所定値未満の領域を前記測光範囲とすることを特徴とする請求項１記載の撮像装置。
【請求項３】
前記算出手段は、前記光学状態に関する情報に基づいて、前記レンズによる光量落ちの影響が小さくなるように前記測光範囲決定手段により決定された測光範囲の測光値を大きくする補正をして、前記評価値を算出することを特徴とする請求項１記載の撮像装置。
【請求項４】
前記露出制御手段は、前記光学状態に関する情報に基づいて、前記レンズによる光量落ちの影響が小さくなるように前記目標値を下げて露出を制御することを特徴とする請求項１記載の撮像装置。
【請求項５】
レンズを通った光を光電変換する光電変換工程と、
評価値の算出に用いる測光範囲を決定する測光範囲決定工程と、
前記光電変換工程で光電変換して得られた画像データにおける、前記測光範囲決定工程で決定された測光範囲の測光値に基づいて前記評価値を算出する算出工程と、
前記算出工程で算出された評価値を目標値に近づけるように露出を制御する露出制御工程と、
前記レンズの光学状態に関する情報を取得する取得工程と、を備え、
前記取得工程で取得された光学状態に関する情報に基づいて、前記レンズによる光量落ちを補償するように前記測光範囲決定工程と前記算出工程と前記露出制御工程の少なくとも１つを制御することを特徴とする撮像装置の露出制御方法。
【手続補正２】
【補正対象書類名】明細書
【補正対象項目名】００１０
【補正方法】変更
【補正の内容】
【００１０】
上記目的を達成するために、本発明にかかる撮像装置は、レンズを通った光を光電変換する光電変換手段と、評価値の算出に用いる測光範囲を決定する測光範囲決定手段と、前記光電変換手段により光電変換して得られた画像データにおける、前記測光範囲決定手段により決定された測光範囲の測光値に基づいて前記評価値を算出する算出手段と、前記算出手段により算出された評価値を目標値に近づけるように露出を制御する露出制御手段と、  前記レンズの光学状態に関する情報を取得する取得手段と、を備え、前記取得手段により取得された光学状態に関する情報に基づいて、前記レンズによる光量落ちの影響が小さくなるように、前記測光範囲決定手段と前記算出手段と前記露出制御手段の少なくとも１つを制御することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
上記目的を達成するために、本発明にかかる撮像装置の露出制御方法は、レンズを通った光を光電変換する光電変換工程と、評価値の算出に用いる測光範囲を決定する測光範囲決定工程と、前記光電変換工程で光電変換して得られた画像データにおける、前記測光範囲決定工程で決定された測光範囲の測光値に基づいて前記評価値を算出する算出工程と、前記算出工程で算出された評価値を目標値に近づけるように露出を制御する露出制御工程と、前記レンズの光学状態に関する情報を取得する取得工程と、を備え、前記取得工程で取得された光学状態に関する情報に基づいて、前記レンズによる光量落ちを補償するように前記測光範囲決定工程と前記算出工程と前記露出制御工程の少なくとも１つを制御することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
本発明によれば、周辺光量落ちの影響を受けにくい露出制御を実現することができる。
【手続補正１１】
【補正対象書類名】明細書
【補正対象項目名】００２９
【補正方法】変更
【補正の内容】
【００２９】
ＣＰＵ１１２は、光学系制御回路１１３より、周辺光量落ちに影響のあるアイリス、ズーム、焦点などの状態の情報（以下、「光学状態」とする）を取得する（ステップＳ２０１）。次に、ＣＰＵ１１２は、取得した光学状態情報に応じて、記憶してある周辺光量落ちのデータを選択する（ステップＳ２０２）。ＣＰＵ１１２には、予め光学状態に応じた周辺光量落ちのデータが記憶されている。この周辺光量落ちのデータは、レンズのシミュレーション結果であっても、光学状態を変化させながら均一被写体を実際に撮影して取得したものであってもよい。また、周辺光量落ちのデータは表示装置１１０の画面に表示される位置に応じた輝度値の相対的な関係を示した値となる。周辺光量落ちのデータの一例を図３（ａ）〜図３（ｃ）に示す。図示例では、画面を１６×９分割し、それぞれの枠の輝度平均値を正規化し、中央を１００としたときの相対的な輝度平均値を示している。
【手続補正１２】
【補正対象書類名】明細書
【補正対象項目名】００３１
【補正方法】変更
【補正の内容】
【００３１】
図２に戻り、ステップＳ２０３では、ＣＰＵ１１２は、測光枠を決定する。測光枠の決定には、ステップＳ２０２で選択された周辺光量落ちのデータが使用される。本実施の形態では、平均測光を用いているため、画像データ全体の測光値がわかればよい。しかしながら、周辺光量落ちの影響を減らすため、周辺光量落ちが１０％より大きい部分は測光しないこととする。図３（ａ）〜図３（ｃ）に示したデータ３０１〜３０３における測光枠の一例を図４（ａ）〜図４（ｃ）に示す。同図において、データ３０１の周辺光量落ち１０％以下未満の領域はデータ４０１の斜線部となる。この領域を測光枠とする。
【手続補正１３】
【補正対象書類名】明細書
【補正対象項目名】００３２
【補正方法】変更
【補正の内容】
【００３２】
図２に戻り、ステップＳ２０４では、カメラ信号処理部１０５から検波部１１１に画像データが送られる。つづいて、検波部１１１は、例えば、データ４０１における測光枠より測光値を取得する（ステップＳ２０５）。得られた測光値は検波部１１１よりＣＰＵ１１２に送られ、該測光値からＣＰＵ１１２が評価値を算出する（ステップＳ２０６）。本実施形態では、平均測光を用いているため、画像データ全体の輝度平均値を評価値とする。測光値は積分値であるため、測光枠の画素数で測光値を割り、それらの平均値を算出して評価値とする。
【手続補正１４】
【補正対象書類名】明細書
【補正対象項目名】００３３
【補正方法】変更
【補正の内容】
【００３３】
次に、ＣＰＵ１１２は、評価値と目標値を比較し（ステップＳ２０７）、評価値が目標値に近づくように露出を変更する（ステップＳ２０８）。ＣＰＵ１１２には、適正露出となったときの評価値である目標値を予め記憶しておく。以上のようにして、自動露出制御が行われる。
【手続補正１５】
【補正対象書類名】明細書
【補正対象項目名】００３５
【補正方法】変更
【補正の内容】
【００３５】
本実施の形態では、周辺光量落ちデータをＣＰＵ１１２に予め記憶していたが、光学状態に対応した周辺光量落ちデータより測光枠を決定しておき、光学状態に対応した測光枠として記憶しておいてもよい。例えば、光学状態に応じて、データ４０１，４０２，４０３のいずれかの測光枠を選択する。このように構成することにより、周辺光量落ちのデータを記憶する必要が無くなり、予め記憶しておくデータ量を減らすことができる。
【手続補正１６】
【補正対象書類名】明細書
【補正対象項目名】００４１
【補正方法】変更
【補正の内容】
【００４１】
次に、カメラ信号処理部１０５から検波部１１１に画像データが送られる（ステップＳ５０３）。つづいて、検波部１１１は、カメラ信号処理部１０５から画像データが送られると、予め決められている測光枠より測光値を取得する。本実施の形態における測光枠の一例を図６に示す。例えば、１９２０×１０８０画素の画面を図６に示すような画素数で分け、測光枠６０１，６０２，６０３，６０４，６０５とする。そして、検波部１１１は、測光枠６０１，６０２，６０３，６０４，６０５のそれぞれで測光値を取得する（ステップＳ５０４）。
【手続補正１７】
【補正対象書類名】明細書
【補正対象項目名】００４２
【補正方法】変更
【補正の内容】
【００４２】
次に、ＣＰＵ１１２は、ステップＳ５０４で得られた測光値から評価値を算出する（ステップＳ５０５）。評価値の算出には、まず周辺光量落ちのデータより測光値に補正係数を掛ける。例えば、周辺光量落ちのデータとしてデータ３０１を用いて評価値を算出すると、周辺光量落ちの無い場合に対して測光値の百分率は測光枠（領域）６０１と６０３では９３．５％、測光枠６０２では９８．３％、測光枠６０４と６０５では９２．６％である。そこで、測光値に対してレンズで光量落ちした分を補正する。測光枠６０１と６０３の測光値には１００／９３．５、測光枠６０２の測光値には１００／９８．３、測光枠６０４と６０５の測光値には１００／９２．６を掛けたものを算出する。次に、中央重点測光や平均測光など、それぞれの枠に重みをつけて評価値を算出する。
【手続補正１８】
【補正対象書類名】明細書
【補正対象項目名】００４３
【補正方法】変更
【補正の内容】
【００４３】
次に、ＣＰＵ１１２は、評価値と目標値の比較を行い（ステップＳ５０６）、評価値が目標値に近づくように露出を変更する（ステップＳ５０７）。ＣＰＵ１１２には、適正露出となったときの評価値である目標値を予め記憶しておく。
【手続補正１９】
【補正対象書類名】明細書
【補正対象項目名】００４５
【補正方法】変更
【補正の内容】
【００４５】
なお、光学状態に対応した周辺光量落ちデータより各測光枠に掛ける補正係数を決定しておき、光学状態に対応した補正係数として記憶しておき、光学状態に応じた補正係数に基づいて評価値を算出してもよい。このように構成することにより、周辺光量落ちのデータを記憶する必要が無くなり、予め記憶しておくデータ量を減らすことができる。
【手続補正２０】
【補正対象書類名】明細書
【補正対象項目名】００５３
【補正方法】変更
【補正の内容】
【００５３】
なお、光学状態に対応した周辺光量落ちデータより測光方式に応じた目標値を決定しておき、光学状態に対応した目標値を記憶しておき、光学状態に対応した目標値を選択してもよい。このように構成することにより、周辺光量落ちのデータを記憶する必要が無くなり、予め記憶しておくデータ量を減らすことができる。